(57)【要約】【課題】  護岸内部に発生する水路の結合を遮断し河川や池側の水が護岸内部を通して陸側への水漏れを防ぎ、護岸や堤防の崩壊や決壊を防ぐ護岸構造を提供すること。【解決手段】  護岸壁面が被覆材により覆われている構成において、複数の柱状材５を順次連結させてなる壁体１０を護岸壁面に沿って護岸内部に埋設することにより護岸内部に発生する水路１６の結合を遮断する。柱状材５は断面略矩形の柱状の木材であり、１の角部に他の柱状材の角部が嵌合しえる接合溝を柱状材５の長手方向に沿って設け、この角部に対向する角部先端に小さな面を柱状材５の長手方向に沿って形成してもよい。【選択図】    図１
2006112223.tif 000002
【特許請求の範囲】
【請求項１】
護岸壁面が被覆材により覆われている護岸構造において、
複数の柱状材（５，５’）を順次連結させてなる壁体（１０）を護岸壁面に沿って護岸内部に埋設することにより護岸内部に発生する水路（１６）の結合を遮断することを特徴とする護岸構造。
【請求項２】
前記柱状材（５，５’）は断面略矩形の柱状の木材であり、１の角部（Ｃ）に他の柱状材の角部が嵌合しえる接合溝（Ｅ）を前記柱状材（５，５’）の長手方向に沿って設け、この角部（Ｃ）に対向する角部（Ｂ）先端には小さな面（Ｆ）が前記柱状材（５，５’）の長手方向に沿って形成されていることを特徴とする請求項１に記載の護岸構造。
【請求項３】
前記壁体（１０）が横向きに配置された複数の前記柱状材（５，５’）が積層され連結部材（１５）により連結されてなることを特徴とする請求項１又は２に記載の護岸構造。
【請求項４】
前記壁体（１０）が縦向きに配置された複数の前記柱状材（５，５’）が屈曲可能に連結部材（１５）により連結されてなることを特徴とする請求項１又は２に記載の護岸構造。
【請求項５】
前記柱状材（５，５’）が木材の芯（２１，３１）の少なくとも一部を含むことを特徴とする請求項１〜４のいずれかに記載の護岸構造。
【請求項６】
前記柱状材（５，５’）は小径木材（２０）よりなることを特徴とする請求項１〜５のいずれかに記載の護岸構造。
【請求項７】
前記柱状材（５，５’）は生材であることを特徴とする請求項１〜６のいずれかに記載の護岸構造。
【発明の詳細な説明】
【技術分野】
【０００１】
本発明は護岸構造に関する。さらに詳しくは、護岸壁面が被覆材により覆われている護岸構造に関する。
【背景技術】
【０００２】
従来の護岸構造は、図１８に示すように、護岸内部に土砂を盛り外部表面をコンクリート、ブロック、石積み等にて覆われている。しかし、地盤が緩んだり外気の寒暖の影響を受けてコンクリート等の外部表面が膨張、収縮を繰り返し、表面にヒビ割れ等の亀裂が生じ、この亀裂が水の出入り口となる。亀裂から雨水等が護岸内部に侵入し、溢れた水は今度はヒビや亀裂部分が水の排出口となり、その水は護岸の外に排出される。
【０００３】
こうした事が繰り返される過程で護岸内部に幾つかの水路が形成されると共に、土砂も一緒に排出され、水路は拡大しながら陸側に生じた水路と水側（河川、池）に生じた水路とが護岸内部において結合し、一本の水路となる。そして、図１９に示すように、そうした中で水側の水位が豪雨等により上昇すると、護岸内部に生じた水路を伝い水は水圧を伴い一挙に外部へ放出し、水路は拡大し支えを失った護岸、堤防は崩壊に至る。
【０００４】
一方、間伐材等を利用した護岸構造としては、次の特許文献１記載の如きものが知られている。同護岸構造は、間伐材を積層して河川の壁面に沿わせた護岸壁であって、護岸内部に発生する水路の結合を遮断する目的のものではない。
【特許文献１】特開２００２−８１１５１号
【発明の開示】
【発明が解決しようとする課題】
【０００５】
かかる従来の実情に鑑みて、本発明は、護岸内部に発生する水路の結合を遮断し河川や池側の水が護岸内部を通して陸側への水漏れを防ぎ、護岸や堤防の崩壊や決壊を防ぐ護岸構造を提供することを目的とする。
【課題を解決するための手段】
【０００６】
上記目的を達成するため、本発明に係る護岸構造の特徴は、護岸壁面が被覆材により覆われている構成において、複数の柱状材を順次連結させてなる壁体を護岸壁面に沿って護岸内部に埋設することにより護岸内部に発生する水路の結合を遮断することにある。
【０００７】
前記柱状材は断面略矩形の柱状の木材であり、１の角部に他の柱状材の角部が嵌合しえる接合溝を前記柱状材の長手方向に沿って設け、この角部に対向する角部先端には小さな面が前記柱状材の長手方向に沿って形成しても構わない。
【０００８】
また、前記壁体が横向きに配置された複数の前記柱状材が積層され連結部材により連結されてもよく、前記壁体が縦向きに配置された複数の前記柱状材が屈曲可能に連結部材により連結されていてもよい。
さらに、前記柱状材が木材の芯の少なくとも一部を含むものであってもよく、前記柱状材は小径木材より構成されてもよい。前記柱状材は生材であってもよい。
【発明の効果】
【０００９】
このように、上記本発明に係る護岸構造の特徴によれば、護岸内部に壁体を設けることにより、分水壁の左右方向に発生した小さな水路は遮断され、河川、池等の水位が増しても分水壁により小さな水路は閉ざされるため、水路に侵入した水は排出口が無い穏やかに地下に浸透するだけで護岸の崩落につながる大きな水漏れの発生を防止できるようになった。
【００１０】
更に環境保全の一環である護岸整備において、利用価値が低く森林のゴミとして放置される運命に有る小径木材を多用する事で、投下された整備費は、低迷する森林経済のもとで、補助とボランティアにより何とか維持されている森林保全に投下され、森林保全に貢献することができるようになった。
本発明の他の目的、構成及び効果については、以下の発明を実施するための最良の形態の項から明らかになるであろう。
【発明を実施するための最良の形態】
【００１１】
次に、適宜添付図面を参照しながら、本発明をさらに詳しく説明する。
図１に示すように、本発明に係る護岸構造１は、大略、土砂２と被覆材３と壁体１０（分水壁）とよりなる。土砂２は水側と陸側の間に盛られ、両側面はコンクリート等の被覆材３により覆われている。
【００１２】
壁体１０は、図２に示すように、柱状材５を横向きにして順次積層していき、連結部材となる長尺金物１５によって連結されている。その長尺金物１５の一端は基礎１４に固定されている。また、壁体１０の両側には適宜間隔をおいて杭１３が設けられる。
【００１３】
柱状材５には、木材として利用価値の低い正角材として９０ｍｍ角から５０ｍｍ角の物よりなる。図３，４に示すように、柱状材５は、連結される他の柱状材の角部が嵌合しえる接合溝Ｅと、その接合溝Ｅに対向する角部には小さな面Ｆとが長手方向に沿って対向して設けられている。また、適宜間隔をおいて長尺金物１５が挿入される貫通孔６が設けられている。
【００１４】
本発明に使用する柱状材５は地中に埋めて使用し、改修が必要な場合には多大の費用が見込まれる事から、使用する材料の耐久性、コストが重要な意味を持つ。そのため検討の結果、木材が最良の材といえる。
【００１５】
木材を使う上でその耐久性、特に木材の腐敗を問われるが、木材の腐敗は現在色々な方面の研究実験の結果、（空気）（水）（温度）の三要素が揃わない環境においては木材の腐敗は起らないとされている。本実施形態においては、地中に埋め込み使用するため、前記の三要素が揃いにくい環境に有るといえる。なお、平成十五年に兵庫県伊丹市の岩屋遺跡から弥生時代（およそ２４００年前）の木材を使った複数の堤や水路がほぼ完全な形で発見された事もこの事を裏附ける。
【００１６】
こうした事から木材を使う上で、さらに、健全な森林育成及び保全の為の間伐事業で多く産出され、其れに多く含まれる小径木材、又大径木材の先端より取れる先端材等の小径木材２０を使用する。
【００１７】
このような小径木材２０を柱状材５に用いることで、木材の持つ固有の繊維構造を利用できる。この繊維構造は、そのほぼ中央に堅くて丈夫な芯２１を有し、外周に至るに従い柔らかく柔軟性に富んだ木材特有のものである。水が浸入するとこの外周部分は水を吸い膨らみ、後述の柱状材５の接続を護岸内部でより確実なものとし水の通過を遮断し、水が無い時には木材に含まれた水を排出し、自然の自動弁の役割を果す木材の持つ特徴を生かすことができる。
【００１８】
更に環境保全の一環である護岸整備において、利用価値が低く森林のゴミとして放置される運命に有る小径木材を多用する事で、投下された整備費は、低迷する森林経済のもとで、補助とボランティアにより何とか維持されている森林保全に投下され森林保全に貢献することが出来る。
【００１９】
ここで、柱状材５の加工について説明する。
木材を加工する場合、木材の乾燥が大きな問題となるが、最終的に地中に埋設されることから、柱状材５に用いる木材は乾燥材を使用せず生材を使用する。これにより、大規模な設備、乾燥設備や精密加工機を必要とせず汎用設備で加工を行なうことができる。但し、木材の伐採から加工までの流通過程で生じる自然乾燥は其の限りでは無い。従って、小径木材２０は、伐採すぐの物から伐採後数ヶ月の経過を経た物など木材の含水率の多様なものとなる。
【００２０】
図５に示すように、小径木材２０を一定の規格を設け幾つかの大きさの正角材４０を製材加工し、それを基材とする。そして、二つの鋸間を二回通過させる事で容易にえることができる。この段階で角部が欠けて樹皮のままの物も一定の大きさであれば使用できる形態とした事でより小径の木材の利用も可能である。
【００２１】
次に、図６に示すように、角Ｃに角Ｂを組込み接合を行なう為の接合溝Ｅを長手方向に沿わせて設ける。さらに、角Ｂには長手方向に沿って小さな面Ｆを設ける。同図では小さな面Ｆは直線と成っているが円弧状でも構わない。
【００２２】
さらに残る角Ａ、Ｄにも面取りを施こす。しかし、これは製材の際にできる角の欠けた材も使用することから外観を整えるために過ぎず、地中に埋め込んで使用するから面取りをあえて行なわなくとも良い。
【００２３】
こうして加工をした柱状材５に連結、接続を行なうための長尺金物１５を貫通させる貫通孔６を柱状材５の長さに応じ適宜設ける。
なお、図７に示す如く、大径木材３０を縦割りにして同寸法の複数の正角材４０を得ることもでき、又加工コストも低くできる。しかし、木材の特徴である上述の繊維構造を十分に活かすことができないため、小径木材２０を用いることが望ましい。
【００２４】
次に、前記加工を施した柱状材５の連結について述べる。
図８は、角Ｂに小さな面Ｆの加工を施していない柱状材５’の接続であり、図９は角Ｂに小さな面Ｆを施した柱状材５の接続である。これらを比較すると、図８に示す柱状材５’を使用した場合、接続部は密着しているが、図９に示す柱状材５の場合、角部先端に三角形状の空洞Ｈができる。
【００２５】
この場合、小さな面Ｆの加工を施さない方が良いように考えられるが、柱状材５には乾燥材を使用せず生材を使用するため、図１０に示すように、接合溝Ｅの正規の角度Ｉが加工時のバラツキ、又加工後に起る木材の乾燥により接合溝に狂いＪが生じる。そのため、図１１に示すように、小さな面Ｆを施していない場合、角部の先端が接当し左右に空洞Ｈが生じることから接続が不安定なものとなる。特に、角部先端が木材の一番柔らかい部分であることで、さらに先端角部の破損等が生じ易く不安定なものとなる。
【００２６】
それに対し、小さな面Ｆの加工を施した場合、図１２の如く小さな面Ｆの両端が接当し、長尺金物１５で締め付けることで柔らかいこの部分になじみを生じ安定した接続が可能となる。
【００２７】
さらに、土木現場は環境が悪く、泥等が接続溝に進入付着する可能性が高く、角部Ｂの先端に小さな面Ｆの加工の無い場合、完全に除去しなければ確実な接続が行なえないが、小さな面の加工を施すことで生じる空間が、異物を受け入れることから完全に除去する必要が無く、作業効率を向上させることができる。
【００２８】
さらに、図１３に示すように接続部分を傾けて組み込むことで屈曲の多い護岸の場合に屈曲に合わせて屈曲配列の施工を行うことができる。小さな面Ｆの加工の無い場合は、図１４に示す如く接続が不安定となり不都合を生じることから屈曲配列の施工には適さない。
【００２９】
さらに、接続部が柔らかい繊維構造であるから、壁面に水が浸入するとこの部分が水を吸い、膨らみより接続を確実なものとして水の通過を遮断し水が無い時には木材に含まれた水を排出し、自然の自動弁の役割を果たすことになる。
【００３０】
次に分水壁の施工方法について述べる。
図１，２に示すように、柱状材５を横使いとした場合、護岸中央へ柱状材５を横向きに組み込み壁体１０を構築、これを分水壁１０として敷設、その周囲を土砂２等で固め、従来に同じくコンクリート等で被覆する。柱状材５は小径木材からなるから、現場での壁体１０の構築作業が容易となる。なお、壁体１０の構築は、柱状材を製材加工した際にその場で柱状材を連結させ壁体１０を構築しておき、その壁体１０を現場にて搬送し埋設するようにしてもよい。また、壁体１０を部分的に構築、例えば数本の柱状材を連結させた状態で基礎に固定させて現場に搬送し、現場にてさらに柱状材を連結させて壁体１０を完成させてもよい。壁体１０の構築は、現場の立地条件等を考慮し、適宜施工方法を選択すればよい。
【００３１】
次に、図１５〜１７を参照しながら、本発明の第二実施形態について説明する。なお、第一実施形態と同様の部材には同じ符合を附してある。
上記第一実施形態において、柱状材５を横向きに配置して連結させ壁体１０を形成したが、図１５に示すように、本実施形態においては、柱状材５を縦向きにして屈曲可能な長尺金物１５によって護岸壁面の屈曲面に沿うよう連結する。また、適宜間隔をおいて、柱状材５の下端が基礎１４に固定されている。
【００３２】
また、図１６，１７に示す如く、分水壁の施工においては、護岸の地形に合わせ柱状材５を屈曲して接続させ分水壁１０を構成し、敷設した後に周囲を土砂２等で固め、外部表面をコンクリート等で被覆する。
【産業上の利用可能性】
【００３３】
本発明に係る護岸構造は、河川、池、等の造成されその周囲をコンクリートやブロック等で覆われた護岸、堤防として利用することができる。また、護岸表面がコンクリート等で覆われていない護岸であっても壁体を埋設し、本発明の護岸構造とすることもできる。
【図面の簡単な説明】
【００３４】
【図１】本発明に係る護岸構造の断面図である。
【図２】壁体の側面図である。
【図３】柱状材の斜視図である。
【図４】柱状材の断面図である。
【図５】小径木材よりなる柱状材の加工断面図である。
【図６】小径木材からの正角材の木取り図である。
【図７】大径木材からの正角材の木取り図である。
【図８】小さな面を有しない柱状材の接続状態を示す断面図である。
【図９】本発明に係る柱状材の接続状態を示す断面図である。
【図１０】溝角度の変形を示す柱状材の断面図である。
【図１１】溝角度の変形後の小さな面を有しない柱状材の接続状態を示す断面図である。
【図１２】溝角度の変形後の本発明に係る柱状材の接続状態を示す断面図である。
【図１３】本発明に係る柱状材の屈曲接続状態を示す断面図である。
【図１４】小さな面を有しない柱状材の屈曲接続状態を示す断面図である。
【図１５】本発明の他の実施形態における壁体の側面図である。
【図１６】本発明の他の実施形態を示す断面図である。
【図１７】本発明の他の実施形態を示す平面図である。
【図１８】従来の護岸構造の造成当初の断面図である。
【図１９】護岸内に水路が形成された従来の護岸構造の断面図である。
【符号の説明】
【００３５】
１：護岸構造、２：土砂、３：被覆材、４：亀裂（ひび割れ）、５，５’：柱状材、６：貫通孔、８：水流、９：水面、１０：壁体（分水壁）、１３：杭、１４：基礎、１５：長尺金物（連結部材）、１６：水路、２０：小径木材、３０：大径木材、２１，３１：芯、４０：正角材、Ａ，Ｂ，Ｃ，Ｄ，：角部、Ｅ：接合溝、Ｆ：小さな面、Ｇ：面取り部、Ｈ：空洞、Ｉ：基本角度、Ｊ：狂い角度、
【図１】
2006112223.tif 000003
【図２】
2006112223.tif 000004
【図３】
2006112223.tif 000005
【図４】
2006112223.tif 000006
【図５】
2006112223.tif 000007
【図６】
2006112223.tif 000008
【図７】
2006112223.tif 000009
【図８】
2006112223.tif 000010
【図９】
2006112223.tif 000011
【図１０】
2006112223.tif 000012
【図１１】
2006112223.tif 000013
【図１２】
2006112223.tif 000014
【図１３】
2006112223.tif 000015
【図１４】
2006112223.tif 000016
【図１５】
2006112223.tif 000017
【図１６】
2006112223.tif 000018
【図１７】
2006112223.tif 000019
【図１８】
2006112223.tif 000020
【図１９】
2006112223.tif 000021